(57)【要約】【課題】室外空気の温度に基づいて床下空間と内部通気層との連通状態を正確に制御することが可能な床下通気制御部材およびこれを用いた建築構造を提供する。【解決手段】床下空間２３と屋根裏３０に連通する内部通気層１８が設けられた建物に配設され、床下空間２３と内部通気層１８とを連通させる連通部６０Ａおよび通気路６０Ｃが形成された本体部６０と、連通部６０Ａの少なくとも一方側に配設され、板厚方向に貫通して形成された貫通孔６２Ａの位置により連通部６０Ａを開放状態と閉止状態に切り替える遮蔽板６２と、貫通孔６２Ａの位置を閉止位置と開放位置との間でスライドさせる開閉機構６４を備え、開閉機構６４は形状記憶合金のバネ体６４Ａとバイアスバネ６４Ｂを有し、外気温に応じて相互間に生じるバネ圧の差により、遮蔽板６２をスライドさせて床下空間２３と内部通気層１８との通気を制御する。【選択図】図４
2008231820.tif 000002
【特許請求の範囲】
【請求項１】
壁構造材と室内壁との間に、床下空間と屋根裏に連通する内部通気層が設けられた建物に配設される床下通気制御部材であって、
前記床下空間と前記内部通気層とを連通させる連通部および通気路が形成された本体部と、
前記連通部の少なくとも一方側に配設され、板厚方向に貫通して形成された貫通孔の位置により前記連通部を開放状態と閉止状態に切り替える遮蔽板と、
前記遮蔽板の貫通孔位置を閉止位置と開放位置との間でスライドさせる開閉機構と、を備え、
該開閉機構は形状記憶合金からなるバネ体およびバイアスバネを有し、該バネ体およびバイアスバネは、外気温に応じて相互間に生じるバネ圧の差により、前記遮蔽板を開放位置と閉止位置との間でスライドさせ、前記床下空間と前記内部通気層との通気が制御されることを特徴とする床下通気制御部材。
【請求項２】
前記形状記憶合金からなるバネ体は建物の基礎部分と土台部分との間に形成される隙間部分にさらされる状態で配設されていることを特徴とする請求項１記載の床下通気制御部材。
【請求項３】
前記形状記憶合金からなるバネ体と、前記バイアスバネが直列配置に接続されていることを特徴とする請求項１または２記載の床下通気制御部材。
【請求項４】
壁構造材と室内壁との間に、床下空間と屋根裏に連通する内部通気層が設けられ、前記床下空間と前記内部通気層との連通状態、および前記屋根裏と戸外との連通状態を外気温に応じて連通・遮断制御する通気断熱構造を備えた建築構造であって、
前記床下空間と内部通気層とを連通する床下通気制御部材として、
前記床下空間と前記内部通気層とを連通させる連通部および通気路が形成された本体部と、
前記連通部の少なくとも一方側に配設され、板厚方向に貫通して形成された貫通孔の位置により前記連通部を開放状態と閉止状態に切り替える遮蔽板と、
前記遮蔽板の貫通孔位置を閉止位置と開放位置との間でスライドさせる開閉機構と、を備え、
該開閉機構は形状記憶合金からなるバネ体およびバイアスバネを有し、該バネ体およびバイアスバネは、外気温に応じて相互間に生じるバネ圧の差により、前記遮蔽板を開放位置と閉止位置との間でスライドさせることにより、前記床下空間と前記内部通気層との通気状態を制御する床下通気制御部材が取り付けられていることを特徴とする建築構造。
【請求項５】
前記形状記憶合金の位置が、建物の基礎と土台の間に形成される隙間部分にさらされる位置となるように、前記床下通気制御部材が配設されていることを特徴とする請求項４記載の建築構造。
【発明の詳細な説明】
【技術分野】
【０００１】
本発明は、床下空間と屋根裏を連通する内部通気層が設けられた建物に配設される床下通気制御部材およびこれを具備する建築構造に関する。
【背景技術】
【０００２】
本発明者は、外気を建物の通気層に取り入れることにより、木材等の構造材の蒸れを防止して建築物の耐久性を高め、住環境を好適に維持することを可能にしたいわゆる通気断熱構造を備えた建築構造について提案した（特許文献１、２参照）。この通気断熱構造は、建築物の壁構造材の外側と内側に沿って外部通気層と内部通気層とを設け、季節等に応じて外部通気層と内部通気層の通気を制御するとともに、室内壁（壁面）の吸排湿作用と換気作用を利用して室内住環境を好適に維持するものである。
【０００３】
この通気断熱構造においては、外気を床下に取り込み、床下空間から壁構造材の内側に設けられた内部通気層に通気させ、内部通気層を上昇する気流を小屋裏から戸外に流出させることにより、居住室内の熱気や湿気を外部に排出するように構成されている。すなわち、夏期のように外気温が高いときには外部通気層と内部通気層に外気を通流させ、居住室内から熱気、湿気等を排出することによって快適環境を提供し、冬期のように外気温が低いときには外部通気層と内部通気層の通気を遮断して居住室の保温効果を高めることにより、通年にわたって快適な住空間を提供することができる。
【特許文献１】特開平１１−１８１９０１号公報
【特許文献２】特開２００６−２０７１２６号公報
【発明の開示】
【発明が解決しようとする課題】
【０００４】
このように通気断熱構造は建物に通気層を設け、居住室の壁面での通気性や湿気の透過を利用して、熱気や湿気を排出して快適な住空間を作り出すもことを目的とする構造である。このような住空間を実現させるために、通気層と室外との連通状態は、形状記憶合金により形成され、室外空気の温度に基づいて作動する開閉機構を有する通気制御部材が用いられている。
このような通気制御部材は、建物の外壁と壁構造材の間に形成された外部通気層の入口部分、壁構造材と室内壁との間に形成される内部通気層と床下空間との連通部分、屋根裏と連通する軒先部分、屋根裏の棟部分や建物の基礎部分等に配設されている。
【０００５】
しかしながら上記の通気制御部材が設けられた建物の暖房手段として床暖房等を用いた場合においては、床暖房を作動させた際に、余熱等により床下空間の空気が加熱され、開閉機構である形状記憶合金の温度が室外空気の温度よりもかなり高い温度になってしまうことがある。このような状況においては、室外空気の温度が低く、本来ならば床下空間と内部通気層を閉止すべきであるが、形状記憶合金が室外空気の温度を誤認識し、床下空間と内部通気層とを連通させてしまうことがあり、居住室が寒くなってしまうという課題が見出された。
【０００６】
本発明は、以上に説明した課題を解決すべくなされたものであり、床暖房などにより床下空間の空気の温度が室外空気の温度に比べて高くなるような状況下（建物の設備状態に関わらず）であっても、開閉機構が室外空気の温度に基づいて床下空間と内部通気層との連通状態を正確に制御することが可能な床下通気制御部材およびこれを具備する建築構造を提供することを目的とする。
【課題を解決するための手段】
【０００７】
本発明は、上記目的を達成するため次の構成を備える。
すなわち、壁構造材と室内壁との間に、床下空間と屋根裏に連通する内部通気層が設けられた建物に配設される床下通気制御部材であって、前記床下空間と前記内部通気層とを連通させる連通部および通気路が形成された本体部と、前記連通部の少なくとも一方側に配設され、板厚方向に貫通して形成された貫通孔の位置により前記連通部を開放状態と閉止状態に切り替える遮蔽板と、前記遮蔽板の貫通孔位置を閉止位置と開放位置との間でスライドさせる開閉機構と、を備え、該開閉機構は形状記憶合金からなるバネ体およびバイアスバネを有し、該バネ体およびバイアスバネは、外気温に応じて相互間に生じるバネ圧の差により、前記遮蔽板を開放位置と閉止位置との間でスライドさせ、前記床下空間と前記内部通気層との通気が制御されることを特徴とする通気制御部材である。
【０００８】
また、前記形状記憶合金からなるバネ体を、建物の基礎部分と土台部分との間に形成される隙間部分にさらした状態で配設することにより、床面に床暖房が配設された場合のように、床下空間の温度が室外の温度に比べて大幅に高くなることがある建物であっても、室外の温度（低温側の温度）に基づいた通気制御がなされるため好都合である。
【０００９】
また、前記形状記憶合金からなるバネ体と、前記バイアスバネを直列配置に接続したことにより、開閉機構の構造を単純化することができ、低コストでの提供が可能になり、メンテナンスも容易になる。
【００１０】
他の発明としては、壁構造材と室内壁との間に、床下空間と屋根裏に連通する内部通気層が設けられ、前記床下空間と前記内部通気層との連通状態、および前記屋根裏と戸外との連通状態を外気温に応じて連通・遮断制御する通気断熱構造を備えた建築構造であって、前記床下空間と内部通気層とを連通する床下通気制御部材として、前記床下空間と前記内部通気層とを連通させる連通部および通気路が形成された本体部と、前記連通部の少なくとも一方側に配設され、板厚方向に貫通して形成された貫通孔の位置により前記連通部を開放状態と閉止状態に切り替える遮蔽板と、前記遮蔽板の貫通孔位置を閉止位置と開放位置との間でスライドさせる開閉機構と、を備え、該開閉機構は形状記憶合金からなるバネ体およびバイアスバネを有し、該バネ体およびバイアスバネは、外気温に応じて相互間に生じるバネ圧の差により、前記遮蔽板を開放位置と閉止位置との間でスライドさせることにより、前記床下空間と前記内部通気層との通気状態を制御する床下通気制御部材が取り付けられていることを特徴とする建築構造である。
【００１１】
また、前記形状記憶合金の位置が、建物の基礎と土台の間に形成される隙間部分にさらされる位置となるように、前記床下通気制御部材を配設することにより、床暖房等が配設され、床下空間の温度が室外の温度と大幅に相違することがある建物であっても、室外の温度に基づいた通気制御がなされるため快適な居住空間の提供が可能になるため好都合である。
【発明の効果】
【００１２】
本発明に係る床下通気制御部材によれば、床下空間から屋根裏に連通する内部通気層への通気を室外気温に応じて的確に空気の流通量を制御することができる。このように通気状態の制御は室外温度に基づいてなされるので、床暖房が配設された住宅であっても、冬季には床下空間と内部通気層との連通状態は確実に遮断されるため、暖房効率の良い快適な居住空間を提供することができる。
また、建物内の空気の流通状態を、それぞれの季節に適した状態にすることができるため、冷暖房に必要なエネルギーの消費を最小限にすることができ、経済的である。さらには、エネルギーの使用量が削減でき、エネルギー消費に伴う二酸化炭素の排出量が削減するので地球温暖化を抑制することが可能になる。
【発明を実施するための最良の形態】
【００１３】
以下、本発明の好適な実施の形態を、添付図面にしたがって詳細に説明する。
（通気断熱構造）
はじめに、本発明に係る通気制御装置を用いた建築構造（通気断熱構造）ついて説明する。図１に示す建物は、断熱材からなる壁構造材１０の外側に、壁構造材１０との間に通気層を設けて外壁１２を設置し、壁構造材１０の内側に、壁構造材１０との間に通気層を設けて室内壁１４を設置した構造を備える。壁構造材１０に沿って外壁１２と壁構造材１０とに挟まれた部位が外部通気層１６であり、壁構造材１０と室内壁１４とによって挟まれた部位が内部通気層１８である。
【００１４】
外壁１２の下端には通気制御部材１７が設けられている。この通気制御部材１７は外部通気層１６における通気を制御するためのものであり、通気制御部材１７を開くことにより外部通気層１６では下方から上方に向けて通気され、通気制御部材１７を閉止することによって外部通気層１６での通気が遮断される。通気制御部材１７は、たとえば形状記憶合金を用いたモジュールを利用して構成することができる。通気制御部材１７は、夏期のように外気温が高いときには開放され、冬期のように外気温が低いときには閉止するように制御される。
【００１５】
一方、室内壁１４および床材１５は、基礎２０に支持された土台２２との間に開口部を設けて取り付けられている。内部通気層１８は土台２２と室内壁１４および床材１５とのの間に設けた開口部を介して床下空間２３に連通する。
基礎２０には外部と連通する開口部２０ａが形成され、開口部２０ａに開閉機構付き地窓２１が取り付けられている。この開閉機構付き地窓２１は、開放位置と閉止位置との間で回動する遮蔽板を備え、形状記憶合金を用いたモジュールを利用して遮蔽板を開放位置と閉止位置に回動することによって、夏期のように外気温が高いときには開放され、冬期のように外気温が低いときには閉止されるように制御される。
【００１６】
内部通気層１８と床下空間２３とを連絡する部位にも、内部通気層１８と床下空間２３との連通状態を制御する床下通気制御部材２４が設けられている。この床下通気制御部材２４もまた、形状記憶合金からなるバネ体を用いたモジュールを利用して開閉制御され、床下通気制御部材２４は、夏期等のように外気温が高いときには内部通気層１８と床下空間２３とを連通させ、冬期のように外気温が低いときには内部通気層１８と床下空間２３との連通が閉止するように制御される。
なお、形状記憶合金からなるバネ体を利用した開閉機構モジュールは、形状記憶合金からなるバネ体６４Ａと、通常の弾性材からなるバイアスバネ６４Ｂとを、互いの弾性力（引っ張り力）が逆向きとなるように取り付け、夏期のように外気温が高くなったときには形状記憶合金からなるバネ体６４Ａによる弾性力が通常の弾性材からなるバイアスバネ６４Ｂの弾性力を上回るように設定し、その弾性力の差が駆動力として利用できるように構成されている。
【００１７】
居住室１３は、透湿性を備えた材料からなる室内壁１４、床材１５および天井１９によって形成され、内部通気層１８は室内壁１４の上部で天井１９の上方の小屋裏２５に連通する。小屋裏２５には屋根２６の下方に屋根２６と同形態に断熱材からなる小屋裏材２８が設けられている。こうして、居住室１３は内部通気層１８および小屋裏２５によって囲まれた構造となる。
小屋裏２５の頂部には、屋根２６と小屋裏２５とを連通する開口部２５ａが設けられ、小屋裏２５と屋根裏３０とは開口部２５ａを介して連通する。
【００１８】
屋根裏３０に連通して設けられている軒先３２にも形状記憶合金からなるバネ体を利用した通気制御部材３４が取り付けられている。通気制御部材３４は軒先３２に設けた開口部に取り付けられ、外気温が高いときには軒先３２の内外を連通させ、外気温が低いときには軒先３２の内外の連通を遮断するように作用する。
【００１９】
屋根裏３０の棟部分には開口部３０ａが設けられ、この開口部３０ａを覆うように屋根２６の棟の上部にハット部材３６が設置されている。ハット部材３６は開口部３０ａに雨風が進入しないように保護するとともに、開口部３０ａを介して屋根裏３０と戸外とが連通するように設けられている。ハット部材３６の内部には遮蔽板を開閉して屋根裏３０と戸外との連通を断続する形状記憶合金からなるバネ体を利用した通気制御部材３７が設けられている。
【００２０】
以上説明したように、本実施形態の建築構造では、居住室１３の周囲に設けた内部通気層１８と床下空間２３とを連通可能とし、内部通気層１８を小屋裏２５に連通させ、小屋裏２５と屋根裏３０とを連通させることによって建物全体に通気構造を設け、通気制御部材１７、３４、３７と開閉機構付き地窓２１と、床下通気制御部材２４を開閉制御することによって、居住室１３における住環境を通年にわたって良好な環境に維持することができる。
【００２１】
すなわち、夏期のような高温で多湿になる時期（図１のＡ−Ａ線の左半部に示す）においては、床下通気制御部材２４、開閉機構付き地窓２１および通気制御部材１７、３４、３７がいずれも開放され、外部通気層１６においては通気層内で温められた空気が上昇気流となって熱気が外部に放出され、内部通気層１８では開閉機構付き地窓２１から床下空間２３に外気が流入し、床下通気制御部材２４、小屋裏２５、屋根裏３０を経由してハット部材３６から戸外に流出する。屋根裏３０では軒先３２から空気が流入し、軒先３２から棟側に向けて上昇流が生じる。
こうして、建築物全体が通気循環状態となり、居住室１３においては室内壁１４から内部通気層１８へ熱気、湿気が透過し、室内環境が快適な状態に維持されるようになる。
【００２２】
また、冬期のように外気温が低くなった場合（図１のＡ−Ａ線の右半部に示す）には、開閉機構付き地窓２１、床下通気制御部材２４および、通気制御部材１７、３４、３７がいずれも閉止状態になり、外部通気層１６および内部通気層１８における通気がなされない状態になる。外部通気層１６および内部通気層１８での通気がなされなくなると、通気層は保温層として作用し、居住室１３内で保温された空気は戸外に排出されず、建物全体が保温される。床下空間２３は地熱によって温められ、建築物の保温に寄与する。こうして居住室１３は暖かく保温され、快適な住空間として維持される。
【００２３】
ところで、室内で料理をしたり、多人数が集まったりした場合、また雨季等においては、一時的に居住室１３内の湿度が高くなったり、温度が高くなったりして強制的に換気が必要になる場合がある。
このため、室内の換気用に排気ファン４０を取り付ける場合がある。この排気ファン４０を作動させる際には外気を取り入れる必要があり、本実施形態の通気構造を備えた建物であれば内部通気層１８を介して居住室１３に外気を取り込むことも可能であるが、より直接的に外気を取り込む方法として、本実施形態では、構造材１０と居住室１３の室内壁１４との間を横断するように居住室用通気制御部材４２を取り付ける構成を採用した。
【００２４】
本実施形態の建物の通気構造において特徴的な構成は、居住室１３と戸外とを居住室用通気制御部材４２により直接的に連絡して、外気を居住室１３に取り込みやすくしたこと、また、居住室用通気制御部材４２は必要に応じて開閉可能とし、通年での通気制御と合わせて利用することによって、さらに快適な住空間が得られるようにしたものである。
居住室用通気制御部材４２の開閉動作は、手動により作動させる形態、他の通気制御部材と同様に形状記憶合金からなるバネ体を用いた温度変化に基づいて自動的に作動させる形態のいずれの形態であってもよい。
【００２５】
（床下通気制御部材）
図２〜図５に、本実施形態における床下通気制御部材を示す。図２は、本実施形態における床下通気制御部材の配設状態を示す斜視図である。図３は本実施形態における床下通気制御部材内の空気の流れを示す説明図である。図４は夏季における床下通気制御部材の状態を示す説明図である。図５は、冬季における床下通気制御部材の状態を示す説明図である。ここで、図４と図５は、ダクト６０Ｂの表示を省略した図面になっている。
【００２６】
床下通気制御部材２４は、床下空間２３と内部通気層１８のそれぞれに連通する連通部６０Ａが形成されると共に、床下空間２３から内部通気層１８を橋渡しするように本体部６０が配設されている。本体部６０は土台２２にネジ止め等によって取り付けられる。本体部に形成されたそれぞれの連通部６０Ａは、床下空間２３および内部通気層１８に進入した状態に形成されている。本実施形態においては、床下空間２３側の連通部６０Ａの開口部分がスリット状に形成されている。
【００２７】
図２，３に示すように、内部通気層１８側の連通部６０Ａには、ダクト６０Ｂが取り付けられている。ダクト６０Ｂは、本体部６０に差し込むことにより取り付けられているがネジ止めにより土台２２に固定してもよい。また、本体部６０の内部空間は中空構造に形成されていて、この中空構造部分が連通部６０Ａを介して床下空間２３と内部通気層１８との間の空気を流通させる通気路６０Ｃとなっている。建物の構造によってはダクト６０Ｂが本体部６０と一体に形成されている場合や、ダクト６０Ｂを用いない場合もある。
【００２８】
本実施形態においては、床下空間２３側の連通部６０Ａに遮蔽板６２が開閉機構６４によりスライド可能に配設されている。遮蔽板６２は本体部６０に配設された保持片６０Ｄにより本体部６０の側壁面に沿って立設した状態に保持される。
遮蔽板６２には板厚方向に貫通する貫通孔６２Ａが形成されている。遮蔽板６２の貫通孔６２Ａは、遮蔽板６２がスライドする方向に所要間隔をあけてスリット状に配設されている。より詳細には、貫通孔６２Ａの配設間隔は連通部６０Ａにおける開口部のスリット間隔と同じスリット間隔となるように形成されている。遮蔽板６２のスライド量は、貫通孔６２Ａの位置が連通部６０Ａのスリット状に形成された開口部を完全に閉止する状態から完全に開口する状態の範囲でなされる。
【００２９】
また、遮蔽板６２のスライド方向の中間部分には、開閉機構６４を構成するバネ体６４Ａとバイアスバネ６４Ｂを係合する係合ピン６２Ｂが配設されている。係合ピン６２Ｂの先端部分には係止孔（図示せず）が形成されている。係合ピン６２Ｂは本体部６０の側壁に形成された挿通孔（図示せず）に挿通される。挿通孔は遮蔽板６２のスライド方向にのびる長孔に形成されている。
【００３０】
開閉機構６４は、本体部６０の下側空間６０Ｚに配設されている。開閉機構６４は、形状記憶合金からなるバネ体６４Ａと、通常の鋼材からなるバイアスバネ６４Ｂにより構成されている。バネ体６４Ａとバイアスバネ６４Ｂの一方の端部は、遮蔽板６２に形成された係合ピン６２Ｂに係合されていて、バネ体６４Ａとバイアスバネ６４Ｂとが直列配置となるように接続されている。バネ体６４Ａとバイアスバネ６４Ｂの他方の端部は本体部６０に係合されている。
【００３１】
開閉機構６４が配設されている下側空間６０Ｚには室外空間に連通する通気窓６０Ｙが形成されている。本実施形態における床下通気制御部材２４は、建物の基礎２０の上端部と建物の土台２２との間に図示しないスペーサを配設することにより形成された隙間部分Ｓの位置に通気窓６０Ｙが面するように配設されている。このように、形状記憶合金からなるバネ体６４Ａは室外空気に直接接触させる（晒す）ように配設されている。
なお、本実施形態における建物の床下空間２３と室外との連通は、床下通気制御部材２４を介してのみ連通させるため、通気窓６０Ｙが面しない建物の基礎２０の上端部と建物の土台２２との間の隙間部分Ｓにはコーキング材Ｃにより気密にシールされている。
【００３２】
バイアスバネ６４Ｂのバネ圧はバイアスバネ６４Ｂの温度に係らずほぼ一定であるのに対し、バネ体６４Ａのバネ圧は、バネ体６４Ａの温度が所定温度になると急激に変化するように形成されている。ここで、バネ体６４Ａを形成する形状記憶合金の設定によっては、ある温度を境界としてバネ体６４Ａのバネ性をほとんどなくしてしまう設定や、温度変化に応じて徐々にバネ体６４Ａのバネ性を減らしていく設定を適宜選択することができる。ある温度を境界としてバネ体６４Ａのバネ性をなくす設定を採用すれば、設定温度を境にして連通部６０Ａを完全に閉止状態にし、床下空間２３と内部通気層１８とを遮断することができる。
これに対し、温度変化に応じて徐々にバネ体６４Ａのバネ性を減らす設定を採用すれば、春や秋等において、床下空間２３と内部通気層１８とを完全に遮断することなく、半開き（半連通）状態にすることができる。形状記憶合金の設定は建物を建設する地区の気候条件や居住者の好みに応じて適宜選択すればよい。
【００３３】
（床下通気制御部材の作用）
続いて、本実施形態の床下通気制御部材２４の作用について説明する。
先にも説明したように、形状記憶合金からなるバネ体を利用した開閉機構モジュール（開閉機構）６４は、形状記憶合金からなるバネ体６４Ａと、通常の弾性材により形成されたバネからなるバイアスバネ６４Ｂを、互いの弾性力（引っ張り力）が逆向きとなるように取り付け、その弾性力の差を駆動力として利用している。
【００３４】
本実施形態においては、夏期における室外気温の状態においては、形状記憶合金からなるバネ体６４Ａによる弾性力が通常の弾性材からなるバイアスバネ６４Ｂの弾性力を上回るように設定しておき、夏季等の室外温度が高い状態でバネ体６４Ａがバイアスバネ６４Ｂを引っ張り、遮蔽板６２をバネ体６４Ａ側に引き寄せる。これとは反対に、冬季においては、バイアスバネ６４Ｂがバネ体６４Ａを引っ張り、遮蔽板６２をバイアスバネ６４Ｂ側に引き寄せる。
バネ体６４Ａおよびバイアスバネ６４Ｂの弾性力およびバネの長さは、夏季においては連通部６０Ａの開口部を開放させる位置（図４）とし、冬季においては連通部６０Ａの開口部を閉止させる位置（図５）となるように設定されている。
【００３５】
また、通気制御部材１７、３４、３７と開閉機構付き地窓２１についても床下通気制御部材２４と同様に動作し、夏季においては建物の通気部分が開放状態となり、積極的に外気が流通することにより、湿気が少なく涼しい居住空間を得ることができる。反面、冬季においては、建物の通気部分が閉止状態となり、通気部分に存在する空気が断熱層となり、暖房効率の良い暖かい居住空間を得ることができる。
【００３６】
以上に本実施形態に基づいて本願発明に係る床下通気制御部材およびこれを用いた建築構造について説明してきたが、本願発明は以上の実施形態に限定されるものではないのはもちろんである。
例えば、開閉機構６４のバネ体６４Ａとバイアスバネ６４Ｂのバネ圧の設定は、夏季においてバネ体６４Ａのバネ圧をバイアスバネ６４Ｂよりも大きくする形態としているが、逆のバネ圧の設定形態であってもよいのはもちろんである。要は、夏季と冬季におけるバネ体６４Ａとバイアスバネ６４Ｂのバネ圧に差をもたせることにより、本体部６０の連通部６０Ａの位置に対して遮蔽板６２の貫通孔６２Ａの位置をスライドさせることができればよいのである。
【００３７】
また、以上に説明した実施形態においては、図２に示すように床下通気制御部材２４の本体部６０の内部通気層１８側に２つの連通部６０Ａのそれぞれに独立したダクト６０Ｂを接続した形態について説明しているが、この形態に限定されるものではないのはもちろんである。
例えば図６に示すように、ダクト６０Ｂを内部通気層１８側の各連通部６０Ａ，６０Ａに共有させる形態としても良い。そしてこの構成を採用する場合、ダクト６０Ｂと壁面内の柱等が干渉する部分においては、ダクト６０Ｂを回避させるための切欠部を柱等に形成しておけばよい。このような構成にすることで、床下通気制御部材２４を壁面内（柱間）に配設する作業負担が大幅に軽減されるため、施工コストを大幅に削減することができる。また、床下通気制御部材２４の取り付け精度を向上させることができるため好都合である。
【図面の簡単な説明】
【００３８】
【図１】開閉機構付き地窓を用いた建物の通気断熱構造を示す説明図である。
【図２】本実施形態における床下通気制御部材の配設状態を示す斜視図である。
【図３】本実施形態における床下通気制御部材内の空気の流れを示す説明図である。
【図４】夏季における床下通気制御部材の状態を示す説明図である。
【図５】冬季における床下通気制御部材の状態を示す説明図である。
【図６】床下通気制御部材の他の実施形態の一例を示す斜視図である。
【符号の説明】
【００３９】
１０  壁構造材
１２  外壁
１３  居住室
１６  外部通気層
１７、３４、３７  通気制御部材
１８  内部通気層
２０  基礎
２０ａ  地窓孔
２１  開閉機構付き地窓
２２  土台
２３  床下空間
２４  床下通気制御部材
２５  小屋裏
２６  屋根
２８  小屋裏材
３０  屋根裏
３２  軒先
３６  ハット部材
４０  排気ファン
６０  本体部
６０Ａ  連通部
６０Ｂ  係合ピン
６０Ｃ  通気路
６０Ｄ  保持片
６０Ｙ  通気窓
６０Ｚ  下側空間
６２  遮蔽板
６２Ａ  貫通孔
６２Ｂ  係合部
６４  開閉機構
６４Ａ  バネ体
６４Ｂ  バイアスバネ
Ｃ  コーキング
Ｓ  隙間部分
【図１】
2008231820.tif 000003
【図２】
2008231820.tif 000004
【図３】
2008231820.tif 000005
【図４】
2008231820.tif 000006
【図５】
2008231820.tif 000007
【図６】
2008231820.tif 000008